【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ドプラ超音波装置であって、
ドプラ超音波手段を有し、該ドプラ超音波手段は、
ドプラ超音波データを取得するよう構成される超音波パルス制御及びデータ取得電子装置と、
最大Ｎ個の超音波トランスデューサパッチを前記超音波パルス制御及びデータ取得電子装置に同時に動作可能に結合するよう構成されるＮチャネルコネクタポートであって、Ｎは２以上の整数であり、各超音波トランスデューサパッチは、超音波トランスデューサを含む超音波トランスデューサアレイを有する、Ｎチャネルコネクタポートと、
それぞれの前記超音波トランスデューサパッチを用いて取得したドプラ超音波データから、前記Ｎチャネルコネクタポートに動作可能に結合された最大Ｎ個の超音波トランスデューサパッチに対応する最大Ｎ個の血流速度を同時に決定するようプログラムされる電子プロセッサと、
を有し、
前記電子プロセッサは、
前記超音波トランスデューサを用いて取得されたドプラ超音波データから、前記超音波トランスデューサパッチの超音波トランスデューサアレイの各超音波トランスデューサについて、トランスデューサ超音波血流速度を決定するステップと、
前記超音波トランスデューサパッチの前記血流速度を、前記超音波トランスデューサアレイの最高決定トランスデューサ血流速度として、又は前記超音波トランスデューサアレイの最高決定トランスデューサ血流速度のセットの集合として、決定するステップと、
を含む工程により、各超音波トランスデューサパッチの前記血流速度を決定するよう更にプログラムされる、ドプラ超音波装置。
【請求項２】
前記超音波パルス制御及びデータ取得電子装置は、
（１）前記超音波パルス制御及びデータ取得電子装置を前記Ｎチャネルコネクタポートの各チャネルに順次結合するよう切り替え可能なマルチプレクサ、及び、
（２）Ｎ個の電子チャネルであって、それぞれが前記Ｎチャネルコネクタポートの対応するポートに結合する、Ｎ個の電子チャネル、
のうちの１つを有する、請求項１に記載のドプラ超音波装置。
【請求項３】
前記Ｎチャネルコネクタポートは、
（１）Ｎ個のコネクタであって、それぞれが単一の超音波トランスデューサパッチに結合するよう構成される、Ｎ個のコネクタ、及び、
（２）一束のＮ個の超音波トランスデューサパッチのＮ対１ピグテールコネクタに結合するよう構成される１つのコネクタ、
のうちの１つを有する、請求項１乃至２のいずれか一項に記載のドプラ超音波装置。
【請求項４】
前記ドプラ超音波手段の前記電子プロセッサは、
アレイ領域を定める前記超音波トランスデューサパッチの超音波トランスデューサアレイの各超音波トランスデューサについて、トランスデューサ血流速度を決定するステップと、
前記アレイ領域に渡り決定した前記トランスデューサ血流速度のマップから、血流ルーメンを決定するステップと、
を含む工程により、前記血流ルーメンを決定するよう更にプログラムされる、請求項１乃至３のいずれか一項に記載のドプラ超音波装置。
【請求項５】
前記ドプラ超音波手段の前記電子プロセッサは、時間に渡り決定した前記血流ルーメンの変化に基づき、血流依存性血管拡張反応（ＦＭＤ）を決定するよう更にプログラムされる、請求項４に記載のドプラ超音波装置。
【請求項６】
前記ドプラ超音波手段の前記電子プロセッサは、
それぞれの前記超音波トランスデューサパッチを用いて取得したドプラ超音波データから、前記Ｎチャネルコネクタポートに動作可能に結合されるＢ個の超音波トランスデューサパッチに対応するＢ個の血流速度を決定するステップと、
Ｂ個の分岐血管について決定した前記Ｂ個の血流速度及び血管ルーメンを用いて、幹線血管内の血流を計算するステップと、
を含む工程により、前記Ｂ個の分岐血管に結合する前記幹線血管内の前記血流を決定するよう更にプログラムされ、ＢはＮ以下である、請求項１乃至５のいずれか一項に記載のドプラ超音波装置。
【請求項７】
前記ドプラ超音波手段の前記電子プロセッサは、
それぞれの前記超音波トランスデューサパッチを用いて取得したドプラ超音波データから、前記Ｎチャネルコネクタポートに動作可能に結合されるＫ個の超音波トランスデューサパッチについて、時間に応じて血流速度を決定するステップと、
時間に応じて決定された前記Ｋ個の血流速度に基づき、Ｋ個の異なる血管の各々について、刺激に対する血行動態反応を決定するステップと、
を含む工程により、前記Ｋ個の異なる血管における前記刺激に対する血行動態反応を同時に評価するよう更にプログラムされ、Ｋは少なくとも２であり、ＫはＮ以下である、請求項１乃至６のいずれか一項に記載のドプラ超音波装置。
【請求項８】
Ｎ個の超音波トランスデューサパッチであって、それぞれが、他のＮ個の超音波トランスデューサパッチのうちの最大Ｎ−１個と同時に、前記超音波パルス制御及びデータ取得電子装置に動作可能に接続するために、前記ドプラ超音波手段の前記Ｎチャネルコネクタポートに接続可能である、Ｎ個の超音波トランスデューサパッチ、
を更に有する請求項１乃至７のいずれか一項に記載のドプラ超音波装置。
【請求項９】
前記ドプラ超音波手段の前記Ｎチャネルコネクタポートに同時に結合され、それにより前記超音波パルス制御及びデータ取得電子装置に同時に動作可能に結合された、２乃至Ｎ個の超音波トランスデューサパッチ、
を更に有する請求項１乃至７のいずれか一項に記載のドプラ超音波装置。
【請求項１０】
各超音波トランスデューサパッチは、接着剤を有し、前記接着剤により、前記超音波トランスデューサパッチが、血行動態測定被検体の皮膚に動作可能に結合できる、請求項８乃至９のいずれか一項に記載のドプラ超音波装置。
【請求項１１】
ドプラ超音波方法であって、
２以上の超音波トランスデューサパッチを血行動態測定被検体上の異なる位置に貼り付けるステップであって、各超音波トランスデューサパッチは、超音波トランスデューサを含む超音波トランスデューサアレイを有する、ステップと、
前記血行動態測定被検体上の前記異なる位置に貼り付けられた前記２以上の超音波トランスデューサパッチを用いてドプラ超音波データを同時に取得するステップと、
前記位置に貼り付けられた前記超音波トランスデューサパッチを用いて取得された前記ドプラ超音波データを用いて、各位置について血流速度を決定するステップと、
を有し、
前記血流速度は、
超音波トランスデューサを用いて取得されたドプラ超音波データを用いて、各超音波トランスデューサアレイの各超音波トランスデューサのトランスデューサ血流速度を決定するステップと、
前記超音波トランスデューサパッチの前記血流速度を、前記超音波トランスデューサアレイの最高決定トランスデューサ血流速度として、又は前記超音波トランスデューサアレイの最高決定トランスデューサ血流速度セットの集合として、決定するステップと、
を含む工程により、各位置について決定される、ドプラ超音波方法。
【請求項１２】
アレイ領域を定める前記超音波トランスデューサパッチの超音波トランスデューサアレイの各超音波トランスデューサについて、トランスデューサ血流速度を決定するステップと、
前記アレイ領域に渡り決定した前記トランスデューサ血流速度のマップから、血流ルーメンを決定するステップと、
を更に有する請求項１１に記載のドプラ超音波方法。
【請求項１３】
前記血行動態測定被検体上の前記複数の異なる位置は、幹線血管に結合する分岐血管の位置に揃い、前記方法は、
前記血行動態測定被検体上の前記異なる位置について決定された前記血流速度から、前記分岐血管内の血流を決定するステップと、
前記分岐血管内の決定された前記血流を一緒に加算することにより、前記幹線血管内の血流を計算するステップと、
を更に有する請求項１１乃至１２のいずれか一項に記載のドプラ超音波方法。
【請求項１４】
前記血行動態測定被検体に刺激を加えるステップと、
前記血行動態測定被検体上の前記異なる位置についての前記血流速度を、少なくとも前記刺激を加えた後の時間に応じて決定するステップと、
前記血行動態測定被検体上の前記異なる位置において時間に応じて、前記血流速度に基づき、複数の異なる血管の各々について、前記刺激に対する血液動態学的反応を決定するステップと、
を更に有する請求項１１乃至１３のいずれか一項に記載のドプラ超音波方法。
【請求項１５】
プログラムされた自動繰り返し時間間隔で、前記同時に取得するステップ及び前記決定するステップを自動的に繰り返すステップと、
時間に応じて、各決定された血流速度について傾向線を描画するステップと、
を更に有する請求項１１乃至１４のいずれか一項に記載のドプラ超音波方法。